(57)【要約】【課題】  各ユーザの携帯型楽曲再生機器７１ａ，７１ｂ，７１ｃを楽曲処理装置７０へ接続して、グループで設定した選択条件に合致する楽曲を携帯型楽曲再生機器７１ａ，７１ｂ，７１ｃの保有楽曲から選択して、グループで聞く場合に、一部ユーザが離脱しても、円滑に再生を継続できるようにする。【解決手段】  楽曲選択手段７５は、各携帯型楽曲再生機器７１ａ，７１ｂ，７１ｃが保有する楽曲の中から所定の選択条件に該当する楽曲を選択する。プレイリスト作成手段７６は、選択された楽曲を登録したプレイリストを作成する。再生手段７７は、プレイリストに登録されている楽曲を１個ずつ順番に再生する。監視手段７８は、各携帯型楽曲再生機器と通信不能状態になっていないかを監視する。再生制御手段７９は、通信不能の携帯型楽曲再生機器の保有する楽曲は該楽曲の再生をスキップするように、再生手段７７を制御する。【選択図】      図１３
2006286055.tif 000002
【特許請求の範囲】
【請求項１】
１個以上の携帯型楽曲再生機器を接続され、各携帯型楽曲再生機器からの楽曲信号を受信して該楽曲信号に係る再生音を放音器より出力可能になっているとともに、自身が装備する記憶装置内の楽曲を再生して、再生音を前記放音器から出力可能になっている楽曲処理装置において、
前記楽曲処理装置及び各携帯型楽曲再生機器が保有する楽曲の中から所定の選択条件に該当する楽曲を選択する楽曲選択手段、
選択された楽曲を再生対象楽曲として登録したプレイリストを作成するプレイリスト作成手段、
前記プレイリストに登録されている楽曲を１個ずつ順番に再生する再生手段、
各携帯型楽曲再生機器と通信不能状態になっていないかを監視する監視手段、及び
通信不能の携帯型楽曲再生機器から楽曲信号を受信して再生する楽曲については再生をスキップするように、前記再生手段を制御する再生制御手段、
を有していることを特徴とする楽曲処理装置。
【請求項２】
２個以上の携帯型楽曲再生機器を接続され、各携帯型楽曲再生機器からの楽曲信号を受信して該楽曲信号に係る再生音を放音器より出力可能になっている楽曲処理装置において、
各携帯型楽曲再生機器が保有する楽曲の中から所定の選択条件に該当する楽曲を選択する楽曲選択手段、
選択された楽曲を再生対象楽曲として登録したプレイリストを作成するプレイリスト作成手段、
前記プレイリストに登録されている楽曲を１個ずつ順番に再生する再生手段、
各携帯型楽曲再生機器と通信不能状態になっていないかを監視する監視手段、及び
通信不能の携帯型楽曲再生機器から楽曲信号を受信して再生する楽曲については該楽曲の再生をスキップするように、前記再生手段を制御する再生制御手段、
を有していることを特徴とする楽曲処理装置。
【請求項３】
通信不能の携帯型楽曲再生機器から選択した楽曲であって再生をスキップしようとする楽曲が、通信可能な携帯型楽曲再生機器の保有楽曲の中に同一楽曲としてあるときは、再生をスキップすることなく、該通信可能な携帯型楽曲再生機器から該同一楽曲の楽曲信号を受信して、該スキップしようとした楽曲を再生するように、前記再生手段を制御する前記再生制御手段、
を有していることを特徴とする請求項１又は２記載の楽曲処理装置。
【請求項４】
通信不能な携帯型楽曲再生機器との通信が復帰したならば、通信不能のために再生保留していた該携帯型楽曲再生機器の保有する楽曲を再生するように、前記再生手段を制御する前記再生制御手段、
を有していることを特徴とする請求項１〜３のいずれかに記載の楽曲処理装置。
【請求項５】
通信復帰した携帯型楽曲再生機器に係る楽曲であって再生保留していた全楽曲は、該携帯型楽曲再生機器の通信復帰後は、該携帯型楽曲再生機器の非再生保留で未再生の全楽曲より前に又は後に再生するように、前記再生手段を制御する前記再生制御手段、
を有していることを特徴とする請求項１〜４のいずれかに記載の楽曲処理装置。
【請求項６】
楽曲の再生中に、該楽曲の楽曲信号の送信元の携帯型楽曲再生機器との通信が不能になった場合には、通信不能後、所定時間内に通信復帰したときには、該楽曲の再生を再開し、また、復帰しなかったときには、前記プレイリストにおいて再生順番が次の楽曲を再生するように、前記再生手段を制御する前記再生制御手段、
を有していることを特徴とする請求項１〜５のいずれかに記載の楽曲処理装置。
【請求項７】
前記プレイリストに登録されている楽曲であって通信復帰した携帯型楽曲再生機器に係る楽曲について、通信復帰時に、該携帯型楽曲再生機器の保有楽曲から消失していた場合には、前記プレイリストから該楽曲を削除するように、前記プレイリストを更新するプレイリスト更新手段、
を有していることを特徴とする請求項１〜６のいずれかに記載の楽曲処理装置。
【請求項８】
携帯型楽曲再生機器との通信不能後、該携帯型楽曲再生機器の通信復帰が困難と判断したときには、該携帯型楽曲再生機器から選択した楽曲は、前記プレイリストから削除するように、前記プレイリストを更新するプレイリスト更新手段、
を有していることを特徴とする請求項１〜７のいずれかに記載の楽曲処理装置。
【請求項９】
１個以上の携帯型楽曲再生機器を接続され、各携帯型楽曲再生機器からの楽曲信号を受信して該楽曲信号に係る再生音を放音器より出力可能になっているとともに、自身が装備する記憶装置内の楽曲を再生して、再生音を前記放音器から出力可能になっている楽曲処理装置において、
前記楽曲処理装置及び各携帯型楽曲再生機器が保有する楽曲の中から所定の選択条件に該当する楽曲を選択する楽曲選択手段、
選択された楽曲を再生対象楽曲として登録したプレイリストを作成するプレイリスト作成手段、
前記プレイリストに登録されている楽曲を１個ずつ順番に再生する再生手段、
各携帯型楽曲再生機器と通信不能状態になっていないかを監視する監視手段、及び
通信不能の携帯型楽曲再生機器から楽曲信号を受信して再生する楽曲については該楽曲を前記プレイリストから削除するように、前記プレイリストを更新するプレイリスト更新手段、
を有していることを特徴とする楽曲処理装置。
【請求項１０】
２個以上の携帯型楽曲再生機器を接続され、各携帯型楽曲再生機器からの楽曲信号を受信して該楽曲信号に係る再生音を放音器より出力可能になっている楽曲処理装置において、
各携帯型楽曲再生機器が保有する楽曲の中から所定の選択条件に該当する楽曲を選択する楽曲選択手段、
選択された楽曲を再生対象楽曲として登録したプレイリストを作成するプレイリスト作成手段、
前記プレイリストに登録されている楽曲を１個ずつ順番に再生する再生手段、
各携帯型楽曲再生機器と通信不能状態になっていないかを監視する監視手段、及び
通信不能の携帯型楽曲再生機器から楽曲信号を受信して再生する楽曲については該楽曲を前記プレイリストから削除するように、前記プレイリストを更新するプレイリスト更新手段、
を有していることを特徴とする楽曲処理装置。
【請求項１１】
通信不能に係る情報をユーザに通知する通知手段、
を有していることを特徴とする請求項１〜１０のいずれかに記載の楽曲処理装置。
【請求項１２】
前記楽曲処理装置は自動車又は建物内に配備されるものであることを特徴とする請求項１〜１１のいずれかに記載の楽曲処理装置。
【請求項１３】
前記携帯型楽曲再生機器の１個が前記楽曲処理装置であることを特徴とする請求項１〜１１のいずれかに記載の楽曲処理装置。
【請求項１４】
１個以上の携帯型楽曲再生機器を接続され、各携帯型楽曲再生機器からの楽曲信号を受信して該楽曲信号に係る再生音を放音器より出力可能になっているとともに、自身が装備する記憶装置内の楽曲を再生して、再生音を前記放音器から出力可能になっている楽曲処理装置における楽曲処理方法において、
前記楽曲処理装置及び各携帯型楽曲再生機器が保有する楽曲の中から所定の選択条件に該当する楽曲を選択するステップ、
選択された楽曲を再生対象楽曲として登録したプレイリストを作成するステップ、
前記プレイリストに登録されている楽曲を１個ずつ順番に再生するステップ、
各携帯型楽曲再生機器と通信不能状態になっていないかを監視するステップ、及び
通信不能の携帯型楽曲再生機器から楽曲信号を受信して再生する楽曲については再生をスキップするか、プレイリストから削除するステップ、
を有していることを特徴とする楽曲処理方法。
【請求項１５】
２個以上の携帯型楽曲再生機器を接続され、各携帯型楽曲再生機器からの楽曲信号を受信して該楽曲信号に係る再生音を放音器より出力可能になっている楽曲処理装置における楽曲処理方法において、
各携帯型楽曲再生機器が保有する楽曲の中から所定の選択条件に該当する楽曲を選択するステップ、
選択された楽曲を再生対象楽曲として登録したプレイリストを作成するステップ、
前記プレイリストに登録されている楽曲を１個ずつ順番に再生するステップ、
各携帯型楽曲再生機器と通信不能状態になっていないかを監視するステップ、及び
通信不能の携帯型楽曲再生機器から楽曲信号を受信して再生する楽曲については再生をスキップするか、プレイリストから削除するステップ、
を有していることを特徴とする楽曲処理方法。
【請求項１６】
請求項１〜１３のいずれかに記載の楽曲処理装置の各手段としてコンピュータを機能させるためのプログラム。
【発明の詳細な説明】
【技術分野】
【０００１】
本発明は、各ユーザが自分の携帯型楽曲再生機器等に保有する楽曲についてグループ用プレイリストを作成して、該プレイリストに基づき楽曲を再生して楽しむことのできる楽曲処理装置、楽曲処理方法及びプログラムに関するものである。
【背景技術】
【０００２】
特許文献１は、車載音響機器が、ユーザにより車内へ持ち込まれた携帯音響機器から音楽データを無線通信により受信して、車載スピーカより再生音を出力するとともに（請求項１）、各携帯音響機器に保有されている楽曲に係る情報を携帯音響機器別に車載ディスプレイに表示する（図６及び図７）ことを開示する。
【特許文献１】特開２００１−２９６８７５号公報
【発明の開示】
【発明が解決しようとする課題】
【０００３】
グループのユーザ同士が自分の携帯型楽曲再生機器を持ち寄って、グループで選択条件を決め、選択条件に合致する楽曲を各携帯型楽曲再生機器から選択して、それら楽曲を再生して、グループで再生を楽しみたいことがある。
【０００４】
特許文献１の音響システムは、単に複数の携帯音響機器を車載機器へ接続し、各携帯音響機器に保有される楽曲を車載スピーカより聞くことができるようにしただけであり、複数の携帯音響機器を１個の音響機器にまとめたようにして、全体の楽曲の再生を楽しむことは困難である。
【０００５】
そこで、本出願人は、別の特許出願（特願２００５−１０１８１３）において、選択条件に合致する楽曲をグループの楽曲処理装置（例：ヘッドユニット）又は携帯型楽曲再生機器（例：ポータブルオーディオプレーヤ）の保有楽曲の中から探索して、探索結果に基づきグループ全体のプレイリストを作成し、該プレイリストに基づき楽曲を再生し、これにより、各ユーザが携帯型楽曲再生機器等により持ち寄った楽曲をグループ全体で楽しむことができる楽曲処理装置を開示した。
【０００６】
グループで共有したプレイリストの楽曲を再生している場合に、グループ員の降車（グループからの離脱）、携帯型楽曲再生機器の電池切れや故障、及びその他の原因のために楽曲処理装置と所定の携帯型楽曲再生機器との通信が一時的又は永久的な不能状態に陥ることが起こり得る。前述の特許出願に係る発明では、通信不能が起きた時の対策が措置されていないので、使用中のプレイリストに基づく再生が困難になってしまう。
【０００７】
本発明の目的は、前述の特許出願の楽曲処理装置において、一部の携帯型楽曲再生機器の通信不能状態が起きても、適切に対処できる楽曲処理装置、楽曲処理方法及びプログラムを提供することである。
【課題を解決するための手段】
【０００８】
本発明によれば、プレイリストに基づく楽曲の再生期間、携帯型楽曲再生機器との通信不能を監視する。そして、通信不能が検出されれば、通信不能が生じた携帯型楽曲再生機器に係る楽曲であってプレイリストに登録されている楽曲については、所定の処理を実行する。所定の処理には、例えば、該楽曲については、再生をスキップしたり、プレイリストから削除するように、プレイリストを更新したりすることが含まれる。
【発明の効果】
【０００９】
本発明によれば、楽曲処理装置及び携帯型楽曲再生機器を統合して、楽曲処理装置又は携帯型楽曲再生機器が保有する全楽曲の中から、グループで設定した選択条件に合致したプレイリストを順番に再生している場合に、一部の携帯型楽曲再生機器が通信不能に陥っても、残った楽曲により楽曲の再生を楽しむことができる。
【発明を実施するための最良の形態】
【００１０】
図１は車載型楽曲再生システム１０の概略構成図である。車載型楽曲再生システム１０は、１個のヘッドユニット１１と、複数個のポータブルオーディオプレーヤ２８ａ，２８b，２８c・・・とを装備する。典型的なヘッドユニット１１はカーナビゲーション装置に実装され、該カーナビゲーション装置がヘッドユニット１１の機能を併せ持つ。ポータブルオーディオプレーヤ２８ａ，２８b，２８c・・・は、各ユーザに所持され、自動車の車内へ適宜、持ち込んで、ケーブル又は無線を介してヘッドユニット１１へ切り離し自在に接続可能になっている。ケーブルは例えばＵＳＢケーブルやＬＡＮケーブルであってよく、無線は例えば無線ＬＡＮやブルートゥース（bluetooth）等であってもよい。ヘッドユニット１１は、ハードディスク装置１２内にＭＰ３等の楽曲圧縮ファイルで記録されている楽曲をそれ自体で再生可能になっている。各ポータブルオーディオプレーヤ２８ａ，２８b，２８c・・・も、それ自体で不揮発性メモリ２９にＭＰ３等の楽曲圧縮ファイルで記録されている楽曲を再生自在になっている。不揮発性メモリ２９は、例えばハードディスク装置又はフラッシュメモリ等から成る。楽曲は、１曲ごとに所定のフォーマットの規定に従い圧縮されたＭＰ３，ＷＭＡ，ＡＡＣ等の楽曲圧縮ファイルとしてハードディスク装置１２及び不揮発性メモリ２９に記録されている。
【００１１】
ヘッドユニット１１は、ハードディスク装置１２の他に、情報処理部１３、アンプ１４、表示部１５、キー１６及び情報保存部１７を装備する。情報処理部１３は、各種のプログラムに従って所定の演算を行うＣＰＵ２０を備える。情報処理部１３は、各種の情報を例えばＬＣＤ（liquid crystａl displａy）から成る表示部１５に表示し、ユーザは、ヘッドユニット１１への指示をキー１６を操作することにより行い、キー１６への入力情報は、情報処理部１３へ送られて、情報処理部１３において対応の処理が行われる。ユーザによるヘッドユニット１１への指示は、リモコン（図示せず）を介して行うこともできる。
【００１２】
情報保存部１７は、フラッシュメモリ等の不揮発メモリから成り、ＣＰＵ２０によりデータを適宜、読書き自在になっている。情報保存部１７は、プレイリスト情報２２、再生履歴情報２３及び機器接続情報２４等を保存する。プレイリスト情報２２には、ヘッドユニット１１の所有者専用のプレイリストだけでなく、複数ユーザに共通する後述のプレイリストに係る情報も含み、プレイリスト情報２２はプレイリストの再利用のために保存されている。再生履歴情報２３とは、ヘッドユニット１１における過去所定期間内の楽曲の再生履歴に係る情報であり、機器接続情報２４は、その保存時にどのようなポータブルオーディオプレーヤ２８ａ，２８b，２８c・・・がヘッドユニット１１に接続されていたかを検出するための情報である。車載型楽曲再生システム１０及び各ポータブルオーディオプレーヤ２８ａ，２８b，２８c・・・は、ＭＡＣ（Mediａ Access Control）アドレス等のＩＤが付与され、該ＩＤにより相互に識別自在になっている。スピーカ１８は、ヘッドユニット１１とは別体で設けられ、アンプ１４からのオーディオ信号を音へ変換する。ヘッドユニット１１が、ハードディスク装置１２内の楽曲を再生する場合には、情報処理部１３が、ハードディスク装置１２から楽曲のファイルを読み込んで、対応の規格（例：ＭＰ３，ＷＭＡ）に基づきデコードして、アナログのオーディオ信号を生成し、それをアンプ１４へ出力する。アンプ１４は、アナログオーディオ信号を増幅し、スピーカ１８へ出力する。
【００１３】
ポータブルオーディオプレーヤ２８ａ，２８b，２８c・・・は、ユーザの衣服のポケットに格納可能な例えばｉＰｏｄ（米国アップル社登録商標）等の楽曲再生器であり、ハードディスクやフラッシュメモリ等の不揮発性メモリ２９を内蔵する。不揮発性メモリ２９には多数の楽曲がＭＰ３やＷＭＡ等のオーディオフォーマットのファイルで記録されている。各ポータブルオーディオプレーヤ２８ａ，２８b，２８c・・・は、ヘッドユニット１１からの再生指示を受け付けると、指示のあった楽曲ファイルを読み込んで、対応の規格（例：ＭＰ３，ＷＭＡ）に基づきデコードして、アナログ又はデジタルのオーディオ信号を生成する。そして、そのオーディオ信号を、車載型楽曲再生システム１０との通信の規格に変換して、車載型楽曲再生システム１０へ伝送するようになっている。
【００１４】
図２はハードディスク装置１２及び不揮発性メモリ２９における楽曲ファイル３２のデータ構造を示している。各楽曲の音声データはＭＰ３等の規格により圧縮された楽曲ファイル形式でハードディスク装置１２及び不揮発性メモリ２９に記録される。各楽曲ファイル３２はヘッダとデータ部とを備え、データ部には、オーディオ信号を圧縮した音声データが記録され、また、ヘッダには、ジャンル、アーティスト、タイトル（楽曲名）等の付帯情報が記録される。各楽曲の付帯情報は、所定の楽曲編集ソフトにより楽曲ファイル３２を作成する際に、例えば、ＣＤのデータベースGrace note CDDB（http://www.cddb.com）から適宜入手して入力作業を省いたり、自ら、テキスト入力したりして、音声データと共に楽曲ファイル３２内に格納することができる。Grace note CDDBでは、楽曲（トラック）の付帯情報として、タイトル、アーティスト、レーベル、発売年、クレジット情報、ジャンル・・・が定義されている。なお、楽曲は、ハードディスク装置１２及び不揮発性メモリ２９においてフォルダを利用して管理されており、フォルダは、通常、アルバムに対応し、アルバムの付帯情報として、前述のGrace note CDDBでは、アルバムについてのタイトル、アーティスト、レーベル、ジャンル等が定義されている。典型的な楽曲ファイル３２は、ハードディスク装置１２及び不揮発性メモリ２９において所定のフォルダ内に格納されている。楽曲に係る情報には、楽曲自体（トラック自体）の楽曲ファイル３２に格納されている付帯情報だけでなく、フォルダ（アルバム）の付帯情報をも含めることができる。
【００１５】
図３は嗜好情報ファイル３３の構造図である。嗜好データは、ハードディスク装置１２及び不揮発性メモリ２９に、所定のファイル名（拡張子も含む）の嗜好情報ファイル３３に格納されて記録される。ヘッドユニット１１及びポータブルオーディオプレーヤ２８ａ，２８b，２８c・・・の所有者は、所定のプログラムにより音楽に関する自分の好みを嗜好データを嗜好情報ファイル３３に格納して、ハードディスク装置１２及び不揮発性メモリ２９に登録できるようになっている。嗜好データは、例えば、好きなジャンル、嫌いなジャンル、嫌いなアーティスト及びプレイリストについて登録できる。嗜好データは、登録が必須のものではなく、ユーザによっては嗜好情報ファイル３３をハードディスク装置１２及び不揮発性メモリ２９に記録していない場合もある。図３では、プレイリストが、好き嫌いの情報と共に嗜好情報ファイル３３に格納されているが、嗜好データとは別個のファイルに記録されてもよい。嗜好情報ファイル３３は通常、メタファイルとして利用される。また、嗜好情報ファイル３３は、ヘッドユニット１１及びポータブルオーディオプレーヤ２８ａ，２８b，２８c・・・が必須に保有していなければならないものではなく、ユーザのポータブルオーディオプレーヤによっては嗜好情報ファイル３３がないことがあるとする。
【００１６】
ポータブルオーディオプレーヤ２８ａ，２８b，２８c・・・の所有者としての各ユーザの楽曲についての好き嫌い（嗜好）は、嗜好情報ファイル３３が存在しなくも、他のデータにより代替できる。例えば、ユーザが自分のポータブルオーディオプレーヤに保有する付帯情報（ジャンルやアーティスト名等）付き楽曲に基づき、各ジャンルの総曲数を調べ、多ければ、それは該ユーザが特に好んでいるジャンルと、判断できる。また、ポータブルオーディオプレーヤに再生履歴が存在している場合には、再生履歴に基づきジャンルやアーティストについての聴取頻度や聴取回数を調べ、それらの大きい又は多いものは該ユーザが特に好んでいるジャンルやアーティストと判断できる。
【００１７】
図４は携帯電話３５におけるメタファイル３６のデータ構造を示している。携帯電話３５は、ヘッドユニット１１にケーブルや無線を介して切り離し自在に接続される。メタファイル３６は携帯電話３５の不揮発性メモリ３７に記憶され、メタファイル３６の各フィールドには、楽曲ファイル３２（図２）におけるヘッダ部分の付帯情報の各情報要素名が記録される。ヘッドユニット１１は、携帯電話３５のメタファイル３６から各情報要素名を読み込むことにより、携帯電話３５のユーザの嗜好情報を検出できる。
【００１８】
携帯電話３５におけるメタファイル３６の作成方法には、ユーザが携帯電話３５に対して、アドレス帳への電話番号登録と同様な編集操作で、テキストデータを入力して、メタファイル３６を直接、作成することの外に、ユーザが携帯電話３５をオーディオ再生機器に接続して、該オーディオ再生機器のメタデータ又はメタファイルを転送することがある。携帯電話３５等へのメタデータ等の転送元のオーディオ再生機器には、例えば、パソコン、携帯型再生装置、又はホームオーディオ機器が挙げられる。それらメタデータ等の転送元のオーディオ再生機器は、ユーザ自身の所有のものに限定されず、嗜好情報が許容範囲内であれば、家族や知人等の他人の所有するものであってもよい。
【００１９】
携帯電話３５等へのメタデータ等の転送元のオーディオ再生機器からのメタデータ等の構築方法には、ユーザの嗜好をテキスト入力するだけでなく、例えば、好みの１個の楽曲をオーディオ再生機器において再生している期間に所定のキーを操作することによりその再生楽曲の付帯情報（例えばジャンルやアーティスト）がユーザのお気に入りの嗜好情報として一気に登録されるようにしたり、ユーザが、楽曲の再生中に、それが好みと判断すれば、そのつど、キーを操作し、所定期間にわたりキー操作の回数をカウントし、嗜好データが統計データとして作成されるようになっていてもよい。
【００２０】
車載型楽曲再生システム１０における３人のユーザＡ，Ｂ，Ｃによるグループ用プレイリスト構築方法について説明する。ユーザＡは運転者でもあり、ヘッドユニット１１はユーザＡの自動車に装備されているものとする。ここでは、ユーザＡのヘッドユニット１１は、ハードディスク装置１２に楽曲を全く有していないか、又は接続されたポータブルオーディオプレーヤ２８ａ，２８ｂ，２８ｃからのデコード済みのオーディオ信号を受信して、オーディオ信号に係るオーディオを放音器５２から出力可能になっているものの、ヘッドユニット１１自身では楽曲ファイルをデコードする機能を装備しないタイプのものとする。ユーザＡ，Ｂ，Ｃはポータブルオーディオプレーヤ２８ａ，２８ｂ，２８ｃを所持する。
【００２１】
最初、ユーザＡのみが、他には誰も同乗させることなく、自分の自動車を運転している。ヘッドユニット１１にはポータブルオーディオプレーヤ２８ａをＵＳＢケーブルで接続し、ポータブルオーディオプレーヤ２８ａ専用のプレイリストをヘッドユニット１１において作成し、該ポータブルオーディオプレーヤ２８ａ専用のプレイリストに基づき再生された楽曲を聞いている。
【００２２】
或る場所からユーザＢ，ＣがユーザＡの自動車に同乗し、ポータブルオーディオプレーヤ２８ｂ，２８ｃがそれぞれワイヤレス及びＵＳＢによりヘッドユニット１１へ接続されたと仮定する。ユーザＢ，Ｃは、グループ用プレイリストに基づく楽曲再生に参加するならば、ポータブルオーディオプレーヤ２８ｂ，２８ｃをエントリモードへ切替え、拒否するならば、エントリモードへ切替えは行わないことにする。全面許容の一律のエントリモードの他に、エントリモードを複数個に分割して設定することもできる。第１のエントリモードは、ヘッドユニット１１への自分のポータブルオーディオプレーヤの保有楽曲の楽曲信号の送信は許容するが、嗜好情報の送信は禁止するもの、第２のエントリモードは嗜好情報の送信は許容するが、楽曲信号の送信は禁止するもの、第３のエントリモードは楽曲信号及び嗜好情報の両方の送信を許容するものである。ここでは、全面許容の一律のエントリモードを想定し、ユーザＢ，Ｃ共にエントリモードへ切り替えたとする。
【００２３】
ヘッドユニット１１は、ポータブルオーディオプレーヤ２８ａ，２８ｂ，２８ｃのメタデータを収集する。嗜好情報に関して、ユーザＡ，Ｂは共に好きなジャンルがロックとジャズ、ユーザＣは好きなジャンルがロックのみであったとする。この場合、ロックはグループ員全員の好きなジャンルとなっているので、ヘッドユニット１１は、自動的に、選択条件を、「ジャンルがロックに属する楽曲」に設定する。
【００２４】
嗜好情報に関して、ユーザＡ，Ｂ，Ｃは共に好きなジャンルがロックとジャズであったとする。この場合は、その旨を表示部１５に表示し、今回の選択条件をロック及びジャズのどちらにするかをグループに決定させる。その他の方法としては、選択条件をロックかジャスかのいずれかに属する楽曲と自動設定することもできる。この選択条件の場合に、プレイリストへの登録数の制限が２０曲であれば、ロック及びジャズの楽曲がそれぞれ１０個ずつ登録されることになる。
【００２５】
ヘッドユニットは、嗜好情報の収集結果を表示部１５に表示するともできる。表示部１５への嗜好情報の収集結果の表示はランキング形式を採用することもできる。例えば、ユーザＡ，Ｂは共に好きなジャンルがロックとジャズ、ユーザＣは好きなジャンルがロック及びポップスであったとする。ランキング形式の表示では、一位にロック、二位にジャズ、三位にポップが表示される。グループは、今回の選択条件を、必ずしも一位のジャンルに設定することなく、二位以下のものを設定してもよい。
【００２６】
図５は各ポータブルオーディオプレーヤ２８ａ，２８ｂ，２８ｃの不揮発性メモリ２９に楽曲データとして格納されている楽曲ファイルを、ジャンルを区別して示している、楽曲ファイルの符号のＡ，Ｂ，Ｃはそれぞれポータブルオーディオプレーヤ２８ａ，２８ｂ，２８ｃが保有している楽曲ファイルであることを意味し、添え字のｒ，ｊはそれぞれロック及びジャズの楽曲ファイルであることを意味し、さらに、３番目の添え字１，２，３，・・・は、ポータブルオーディオプレーヤ別及びジャンル別の順番を示している。図５において、「・・・」はロック及びジャズ以外の楽曲ファイルが格納されていることを意味する。
【００２７】
ユーザＡ，Ｂ，Ｃの協議に従い又はヘッドユニット１１による自動設定により、今回のグループ用プレイリスト作成の基礎とする選択条件はロックに属する楽曲に設定されたとする。ヘッドユニット１１は、該選択条件に基づき、ポータブルオーディオプレーヤ２８ａ，２８ｂ，２８ｃの保有楽曲の中から、ジャンルがロックである楽曲を選択する。ここで、ジャンルがロックに属する楽曲が、ポータブルオーディオプレーヤ２８ａ，２８ｂ，２８ｃにそれぞれ５０、４０,１０個、存在し、グループ全体の総数が１００曲であったとする。
【００２８】
ヘッドユニット１１は、グループ用プレイリストの最大登録数（該最大登録数はあらかじめのユーザ設定やグループ用プレイリスト作成ごとのユーザ選択ができるようになっている。ここでは２０とする。）に対し、５：４：１の配分で、すなわちそれぞれ１０，８，２曲ずつポータブルオーディオプレーヤ２８ａ，２８ｂ，２８ｃから該当楽曲を選択し、これら選択した楽曲をグループ用プレイリストに登録する。
【００２９】
図６は各ポータブルオーディオプレーヤ２８ａ，２８ｂ，２８ｃから選択した楽曲に基づき作成されたグループ用プレイリスト４１における楽曲登録状況及び再生順を示している。ジャンルがロックに属する楽曲の選択条件選択条件に対して各ポータブルオーディオプレーヤ２８ａ，２８ｂ，２８ｃから選択された楽曲Ａｒ１，Ａｒ２，Ａｒ３，・・・、Ｂｒ１，Ｂｒ２，Ｂｒ３，・・・Ｃｒ１，Ｃｒ２，Ｃｒ３，・・・がグループ用プレイリスト４１に登録される。また、再生順は、ポータブルオーディオプレーヤ２８ａ，２８ｂ，２８ｃの順番で１個ずつ再生するものとし、最後のポータブルオーディオプレーヤ２８ｃの楽曲を再生した次は、再び、最初のポータブルオーディオプレーヤ２８ａの楽曲の再生へ戻る循環形式となっている。
【００３０】
グループ用プレイリストに基づく楽曲再生途中において、ユーザＢが途中降車する。ポータブルオーディオプレーヤ２８ｂはヘッドユニット１１へワイヤレス通信により接続されているので、ヘッドユニット１１は、ポータブルオーディオプレーヤ２８ｂとの通信が一定時間途絶えたてから、グループ用プレイリストに登録されていた楽曲でかつポータブルオーディオプレーヤ２８ｂから選択された楽曲について、グループ用プレイリストにおける表示をネガポジ反転する。ポータブルオーディオプレーヤ２８ｂとの通信不能後、一定時間待ってから、ネガポジ反転するのは、ポータブルオーディオプレーヤ２８ｂとの通信不能が永久的なものではなく、ユーザＢだけがたまたま買い物等の一時的な用事で降車し、再び自動車に戻ってくる可能性があり、その場合には、ポータブルオーディオプレーヤ２８ｂからの選択楽曲を支障なく再生可能になるからである。しかしながら、表示をネガポジ反転されている楽曲が、再生順番になったにもかかわらず、ポータブルオーディオプレーヤ２８ｂとの通信が回復しない場合には、その楽曲の再生をスキップし、グループ用プレイリスト上で再生順番が次の楽曲を再生する。
【００３１】
なお、人が降車する場合は、停車状態、すなわち、シフトレバーがパーキングモードとなったり、サイドブレーキが作動状態になったりするので、それらに基づき停車状態を検出し、停車状態期間は、通信確認（通信不能監視）の頻度を高めることが好ましい。
【００３２】
次にユーザＣが下車したとする。ポータブルオーディオプレーヤ２８ｃはヘッドユニット１１へＵＳＢケーブル等の有線接続となっているので、ポータブルオーディオプレーヤ２８ｃからの選択楽曲であってグループ用プレイリストに登録されている楽曲については、ポータブルオーディオプレーヤ２８ｃとのケーブル接続が切り離された時点で、直ちにグループ用プレイリストから削除してもよい。
【００３３】
図７は各ポータブルオーディオプレーヤ２８ａ，２８ｂ，２８ｃ，・・・の不揮発性メモリ２９に格納されている楽曲データ４８を、ジャンルを区別することなく示している。楽曲データ４８は、楽曲ごとに１個のファイルを構成しており、各ファイルの具体的なデータ構造は、楽曲に係る所定のフォーマット（例：ＭＰ３，ＷＭＡ，ＡＡＣ）により規定されており、各ファイルには、音声データと付帯情報とを含む情報としての楽曲情報が格納されている。今、所定の選択条件（以下、説明の便宜上、該選択条件を「選択条件Ｑ」と呼ぶことにする。）Ｑに合致する楽曲として、楽曲データ４８ａでは、楽曲Ａ１，Ａ２，Ａ３，Ａ４、楽曲データ４８ｂでは、楽曲Ｂ１，Ｂ２，Ｂ３，Ｂ４、楽曲データ４８ｃでは、楽曲Ｃ１，Ｃ２，Ｃ３，Ｃ４が存在したと仮定する。なお、ヘッドユニット１１は、接続状態のポータブルオーディオプレーヤ２８ａ，２８ｂ，２８ｃ，・・・からのデコード後のオーディオ信号を受信して、スピーカ１８から出力することは可能であるが、自身が保有した楽曲を再生する機能を装備していない場合、又は自身がハードディスク装置１２に保有している楽曲を再生する機能を装備しているものの、ハードディスク装置１２に保有楽曲が存在していない場合を想定する。
【００３４】
図８は選択条件Ｑに合致する楽曲についてのプレイリストを示している。選択条件Ｑについてポータブルオーディオプレーヤ２８ａ，２８ｂ，２８ｃ，・・・の不揮発性メモリ２９において検索が行われ、選択条件Ｑに合致する楽曲は、プレイリストに登録される。プレイリストに登録された楽曲は、一般的なプレイリストでは、プレイリスト名及びアーティスト名等により表示される。また、プレイリストでは、楽曲は再生順に上から下に並べられる。該プレイリストにおける楽曲の再生順は、ポータブルオーディオプレーヤ２８ａから順番に一曲ずつ再生して、ポータブルオーディオプレーヤ２８ｃの楽曲を再生したら、また、ポータブルオーディオプレーヤ２８ａの楽曲の再生に戻る方式となっている。
【００３５】
車載型楽曲再生システム１０が図８のプレイリストの再生順に従い各楽曲を再生している期間に、再生順番の４番から７番までの期間Ｔ１にポータブルオーディオプレーヤ２８ｃとの通信が不能になったと仮定する。ヘッドユニット１１は、Ａ１，Ｂ１，Ｃ１，Ａ２，Ｂ２と順番に再生していくが、６番目のＣ２は、ポータブルオーディオプレーヤ２８ｃとの通信不能のために、再生が困難であることが分かる。そこで、Ｃ２の再生をスキップして、Ｃ２の次のＡ３を再生する。こうして、車載型楽曲再生システム１０は、グループ員の離脱等のためにポータブルオーディオプレーヤ２８ｃとの通信が不能になっても、図８のプレイリストに基づく再生処理を支障なく継続できる。
【００３６】
図９は一部のポータブルオーディオプレーヤとの通信不能が生じた場合にプレイリスト上の該当楽曲の再生スキップにより対処するプレイリスト処理のフローチャートである。Ｓ２０１では、ヘッドユニット１１はポータブルオーディオプレーヤ２８ａ，２８ｂ，２８ｃ，・・・との通信を開始する。Ｓ２０２では、所定の選択条件に合致する楽曲をポータブルオーディオプレーヤ２８ａ，２８ｂ，２８ｃ，・・・から探索して、該当する楽曲を登録したグループ用楽曲プレイリストを自動作成する。Ｓ２０３では、グループ用プレイリストに基づき楽曲を順番に再生する。
【００３７】
Ｓ２０４では、各ポータブルオーディオプレーヤ２８ａ，２８ｂ，２８ｃ，・・・との通信が可能状態に保持されているかを判定する。通信可能となっていれば、Ｓ２０９へ進み、グループ用楽曲プレイリストに基づく再生を継続する。通信不可能なポータブルオーディオプレーヤがあれば、Ｓ２０５へ進む。Ｓ２０５では、通信不可能になっているポータブルオーディオプレーヤの存在することを警告する。この警告は、典型的には、再生中の楽曲の再生音を阻害させないために、表示部１５における表示により行われるが、スピーカ１８からの音声により行われてもよい。また、Ｓ２０５では、通信不可能になっているポータブルオーディオプレーヤがどのユーザのものかを表示部１５に表示することもできる。
【００３８】
Ｓ２０６では、通信不能になっていたポータブルオーディオプレーヤが通信復帰したか否かを判定し、通信復帰していれば、Ｓ２０９へ進み、なお、通信不能状態になっていれば、Ｓ２０７へ進む。Ｓ２０７では、通信不能中のポータブルオーディオプレーヤに対し、それから選択した楽曲については、再生をスキップし、通信復帰しだい（Ｓ２０８の判定が正）、Ｓ２０９へ進む。
【００３９】
図１０はポータブルオーディオプレーヤ２８ｃが通信不能となった場合の楽曲の再生順の説明図である。図１０（ａ）は初期のプレイリストにおける再生順を示し、図１０（ｂ）及び（ｃ）はポータブルオーディオプレーヤ２８ｃと期間Ｔ２に通信不能が生じてその後の通信復帰した場合の現実の再生順を示している。所定の選択条件Ｑについてポータブルオーディオプレーヤ２８ａ，２８ｂ，２８ｃの不揮発性メモリ２９において検索が行われ、選択条件Ｑに合致する楽曲Ａ１〜Ａ４，Ｂ１〜Ｂ４，Ｃ１〜Ｃ４が選択され、それに基づき所定のプレイリストが作成される。該プレイリストでは、ポータブルオーディオプレーヤ２８ａ，２８ｂ，２８ｃからの選択楽曲を循環させて、再生する再生順方式を採用しており、楽曲の再生順はＡ１，Ｂ１，Ｃ１，Ａ２，Ｂ２，Ｃ２，Ａ３，・・・となる。今、ヘッドユニット１１が、図１０（ａ）の再生順で楽曲を再生している場合に、ポータブルオーディオプレーヤ２８ｃとの通信が、再生順の３番から６番までに相当する期間Ｔ２、不能になったと仮定する。
【００４０】
ヘッドユニット１１は、Ａ１、Ｂ１と再生を進めるが、Ｃ１の楽曲信号を受信できない。ヘッドユニット１１は、Ｃ１の再生をスキップして、Ｃ１の代わりに、再生順がＣ１の次となっているＡ２を再生し、以降、Ｂ２，・・・を再生する。ヘッドユニット１１は、Ｂ２の再生を終了して、Ｃ２を再生しようとするが、ポータブルオーディオプレーヤ２８ｃとはなお通信不能となっているため、Ｃ１と同様に、Ｃ２の再生をスキップして、再生順がＣ２の次となっているＡ３を再生し、以降、Ｂ３，・・・を再生する。
【００４１】
再生順か７番に相当する時刻では、ポータブルオーディオプレーヤ２８ｃとの通信が復帰している。車載型楽曲再生システム１０は、Ｂ３の再生終了後、ポータブルオーディオプレーヤ２８ｃの再生保留楽曲の中で最初のもの、すなわちＣ１を再生し、その次に、ポータブルオーディオプレーヤ２８ａの楽曲Ａ４を再生する。このように変更された再生順が図１０（ｂ）に示されている。図１０（ｂ）の再生順では、ポータブルオーディオプレーヤ２８ｃに係る楽曲のみの通信不能前の再生順Ｃ１，Ｃ２，Ｃ３，Ｃ４は、通信復帰後も、不変となっている。
【００４２】
図１０（ｃ）は、ポータブルオーディオプレーヤ２８ｃとの通信復帰後の別の再生順を示しており、通信不能のために再生保留された楽曲Ｃ１，Ｃ２は、図１０（ａ）の本来の再生順で最後の楽曲Ｃ４の後に回されている。
【００４３】
図１１は一部のポータブルオーディオプレーヤとの通信不能が生じた場合にプレイリスト上の該当楽曲の削除により対処するプレイリスト処理のフローチャートである。図１１において、Ｓ２３１〜Ｓ２３５，Ｓ２３８，Ｓ２３９及びＳ２４０は前述の図９のＳ２０１〜Ｓ２０５，Ｓ２０７，Ｓ２０８及びＳ２０９とそれそれ同一となっており、説明を省略する。
【００４４】
Ｓ２３６では、通信不能中のポータブルオーディオプレーヤに対し、それから選択した全楽曲については、プレイリストからの削除を行うか否かを判定する。該判定は、自動で行ってもよいし、ユーザに、正否のどちらにするかを選択させるようにしてもよい。自動で行うときは、例えば、通信不能時間を計測し、通信不能時間がまだ所定時間未満であるときは、Ｓ２３８へ進み、所定時間以上になっていたら、Ｓ２３７へ進むようにしてもよい。Ｓ２３７では、通信不能中のポータブルオーディオプレーヤから選択した全楽曲について、プレイリストから削除するように、プレイリストを更新する。
【００４５】
図１２は楽曲処理装置５０の機能ブロック図である。楽曲処理装置５０及び携帯型楽曲再生機器５１ａ，５１ｂ，５１ｃ・・・の一例はそれぞれヘッドユニット１１（図１）及びポータブルオーディオプレーヤ２８ａ，２８b，２８c・・・（図１）である。放音器５２の一例はスピーカ１８（図１）である。記憶装置５３の一例はハードディスク装置１２（図１）である。前述のヘッドユニット１１は、楽曲を自分のハードディスク装置１２に保有して、それら保有楽曲を再生して、再生音をスピーカ１８から出力自在になっているが、楽曲処理装置５０は、楽曲を自分では保有することなく、携帯型楽曲再生機器５１ａ，５１ｂ，５１ｃ・・・の保有楽曲のみの再生音をスピーカ１８から出力自在になっていてもよい。両者を区別するとき、前者の楽曲処理装置５０を「楽曲保有型楽曲処理装置５０」と呼び、後者の「非保有型楽曲処理装置５０」と呼ぶことにする。楽曲保有型楽曲処理装置５０は、本発明を適用するために、１個以上の携帯型楽曲再生機器５１ａ，５１ｂ，５１ｃ・・・を接続されればよいが、非保有型楽曲処理装置５０は、２個以上の携帯型楽曲再生機器５１ａ，５１ｂ，５１ｃ・・・を接続される必要がある。楽曲保有型楽曲処理装置５０の場合、該楽曲保有型楽曲処理装置５０に保有している楽曲は、該楽曲保有型楽曲処理装置５０の所有者（自動車のドライバーや楽曲処理装置５０を居間等に配備する家庭の住人等）の保有する楽曲となる。
【００４６】
すなわち、楽曲保有型楽曲処理装置５０は、１個以上の携帯型楽曲再生機器５１ａ，５１ｂ，５１ｃ・・・を接続され、各携帯型楽曲再生機器５１ａ，５１ｂ，５１ｃ・・・からの楽曲信号を受信して該楽曲信号に係る再生音を放音器５２より出力可能になっているとともに、自身が装備する記憶装置５３内の楽曲を再生して、再生音を放音器５２から出力可能になっている。
【００４７】
また、非保有型楽曲処理装置５０は２個以上の携帯型楽曲再生機器５１ａ，５１ｂ，５１ｃ・・・を接続され、各携帯型楽曲再生機器５１ａ，５１ｂ，５１ｃ・・・からの楽曲信号を受信して該楽曲信号に係る再生音を放音器５２より出力可能になっている。
【００４８】
各携帯型楽曲再生機器５１ａ，５１ｂ，５１ｃ・・・から楽曲処理装置５０への楽曲信号は、典型的には、各携帯型楽曲再生機器５１ａ，５１ｂ，５１ｃ・・・において楽曲ファイルをデコードして、デコード後のオーディオ信号である。この場合、楽曲処理装置５０は、携帯型楽曲再生機器５１ａ，５１ｂ，５１ｃ・・・から受信したオーディオ信号を、単に、増幅するのみで放音器５２から再生音を出力することができる。各携帯型楽曲再生機器５１ａ，５１ｂ，５１ｃ・・・から楽曲処理装置５０への楽曲信号は、楽曲ファイルデータであってもよい。この場合は、楽曲処理装置５０は、受信した楽曲ファイルをデコードして、オーディオ信号を生成する必要がある。
【００４９】
楽曲処理装置５０は、楽曲選択手段５５、プレイリスト作成手段５６及び再生手段５７を有している。楽曲保有型楽曲処理装置５０では、楽曲選択手段５５は、楽曲処理装置５０及び各携帯型楽曲再生機器５１ａ，５１ｂ，５１ｃ・・・が保有する楽曲の中から所定の選択条件に該当する楽曲を選択する。非保有型楽曲処理装置５０では、楽曲選択手段５５は、各携帯型楽曲再生機器５１ａ，５１ｂ，５１ｃ・・・が保有する楽曲の中から所定の選択条件に該当する楽曲を選択する。
【００５０】
プレイリスト作成手段５６は、選択された楽曲を再生対象楽曲として登録したプレイリストを作成する。再生手段５７は、プレイリストに登録されている楽曲を１個ずつ再生する。
【００５１】
選択条件には、肯定条件（例：過去１週間以内に聴取した楽曲という条件）だけでなく、否定条件（例：過去１週間以内に聴取しなかった楽曲という条件）を含むものとする。選択条件には、典型的には、グループ内で好まれている楽曲を抽出するような選択条件が設定されるが、面白さとしては、過半数のユーザには嫌われているが少数のユーザには好まれている楽曲を抽出する選択条件があってもよい。
【００５２】
選択条件は、例えば、（ａ）楽曲処理装置５０においてあらかじめ標準の幾つかが用意されていて、楽曲処理装置５０のユーザによりそれらの中から１個をユーザ設定しておくようになっているか、（ｂ）グループの楽曲を新規に作成するごとに、作成に先立ち、それら選択条件から１個を選択するようにするか、（ｃ）グループの楽曲を新規に作成するごとに、ユーザが手動で設定するかされる。
【００５３】
典型的な楽曲処理装置５０では、プレイリスト作成手段５６の作成するプレイリストに登録される楽曲数には、制限があるが、無制限の場合もある。また、楽曲数の制限には、２０曲以内とか、楽曲数で直接制限される場合の他に、プレイリストの全曲の総再生時間が３０分以内というように、総再生時間により規定される場合もある。さらに、選択条件によっては、楽曲選択手段５５が全員の楽曲処理装置５０又は携帯型楽曲再生機器５１ａ，５１ｂ，５１ｃ・・・から選択した楽曲の総数が、プレイリストの制限数に達しないこともあり得る。プレイリストに登録する楽曲数に制限がある場合であって、選択条件に該当する楽曲の個数が制限数を越えるときには、楽曲選択手段５５は、選択数を制限数内とするために、選択条件に該当する全部の楽曲の中から所定の優先基準に従い絞込みを行う必要がある。優先基準としては、例えば、多数のユーザが保有している楽曲を優先したり、逆に、一人のユーザしか保有していない楽曲を優先したりする基準がある。
【００５４】
こうして、複数のユーザが、楽曲処理装置５０又は携帯型楽曲再生機器５１ａ，５１ｂ，５１ｃ・・・に記録して自動車の車内又は建物の室内へ持ち寄った楽曲について、選択条件を設定して、該選択条件に合致する楽曲を選択して、音楽を全員で楽しむことができる。
【００５５】
なお、プレイリストは、その最後の楽曲を再生後、破棄することなく、情報保存部１７にプレイリスト情報２２として保存し、次の場面では、プレイリストを新たに作成することなく、プレイリスト情報２２を読み出して、再利用することができる。プレイリストに基づく再生は、プレイリストの最後の楽曲まで行くことなく、ユーザの都合により途中終了することも可能であり、再利用（レジューム）したい場合には、途中終了時に情報保存部１７にプレイリスト情報２２として保存する。プレイリスト情報２２には、プレイリスト自体の情報の他に、途中終了のときに最後に再生した楽曲に係る情報等、その他の情報も含めることができる。
【００５６】
以下、楽曲処理装置５０についてさらなる具体例を説明する。
【００５７】
選択条件とは、楽曲の付帯情報、楽曲処理装置５０若しくは各携帯型楽曲再生機器５１ａ，５１ｂ，５１ｃ・・・における楽曲再生履歴、楽曲処理装置５０若しくは各携帯型楽曲再生機器５１ａ，５１ｂ，５１ｃ・・・におけるユーザ別プレイリスト、又は楽曲処理装置５０若しくは各携帯型楽曲再生機器５１ａ，５１ｂ，５１ｃ・・・における楽曲嗜好情報、又は楽曲処理装置５０若しくは各携帯型楽曲再生機器５１ａ，５１ｂ，５１ｃ・・・が共通に保有している若しくは保有していない楽曲に係る選択条件である。
【００５８】
楽曲の付帯情報に係る選択条件とは、図２に関連して説明したように、ジャンル、アーティスト若しくは年代に係る選択条件である。楽曲再生履歴とは各楽曲についての再生回数に係る選択条件である。ユーザ別プレイリストに係る選択条件とはユーザ別プレイリストに登録されている楽曲に係る選択条件である。楽曲嗜好情報に係る選択条件とは、図３に関連して説明したように、特定のジャンル、アーティスト若しくは年代についての好き嫌いに係る選択条件である。
【００５９】
楽曲選択手段５５は、楽曲の再生機能を有しない携帯型情報機器であって楽曲処理装置５０に切り離し自在に接続される携帯型情報機器より接続時に選択条件に係る情報を入手して該情報を反映した選択条件に該当する所定の複数個の楽曲を楽曲処理装置５０又は携帯型楽曲再生機器５１ａ，５１ｂ，５１ｃ・・・の保有楽曲の中から選択してもよい。携帯型情報機器の一例は、携帯電話３５（図４）である。ユーザによっては、携帯型楽曲再生機器を持っていないことがあり、自分の嗜好情報が、選択条件に反映されず、疎外感を抱くことがある。そのようなユーザが携帯電話を持っていたら、該携帯電話に記録されている嗜好情報を楽曲処理装置５０へ伝送し、楽曲処理装置５０は、該嗜好情報を考慮した選択条件を設定可能になる。なお、携帯電話における嗜好情報の登録は、アドレス帳編集ソフトウェアのようなソフトウェアを使用することにより、アドレス帳への電話番号登録のような形式で実現可能である。
【００６０】
選択数に制限がある場合には、楽曲処理装置５０又は各携帯型楽曲再生機器５１ａ，５１ｂ，５１ｃ・・・からそれぞれ選択する楽曲の個数を、楽曲処理装置５０又は各携帯型楽曲再生機器５１ａ，５１ｂ，５１ｃ・・・において選択条件に該当する楽曲の個数比に基づくものにする。例えば、選択条件に該当する楽曲が、楽曲処理装置５０及び携帯型楽曲再生機器５１ａ，５１ｂ，５１ｃ・・・にそれぞれ１００，５０，３０，２０あったとし、制限数が２０であるとする。個数比は約分すると、１０：５：３：２であるので、楽曲処理装置５０及び携帯型楽曲再生機器５１ａ，５１ｂ，５１ｃ・・・からそれぞれ１０，５，３，２個ずつ選択されることになる。制限数は、楽曲処理装置５０におけるユーザ設定により予め行なわれたり、プレイリストを作成するつど、指定可能であったりする。厳密な個数比では、選択数が小数となってしまう楽曲処理装置５０又は携帯型楽曲再生機器５１ａ，５１ｂ，５１ｃ・・・では、小数第一位を四捨五入等の処理を実施し、最終選択数を制限数に合わせる。最終選択数が制限数より若干、少なくなってもよいとする。
【００６１】
楽曲処理装置５０はさらに再生順番決定手段６０を有している。再生順番決定手段６０は、選択された楽曲の再生順番を、再生楽曲の保有元としての楽曲処理装置５０若しくは各携帯型楽曲再生機器５１ａ，５１ｂ，５１ｃ・・・が循環する順番形式で、又は楽曲処理装置若しくは各携帯型楽曲再生機器において選択条件に該当する楽曲の個数に基づく順番形式で決定する。プレイリスト作成手段５６は、選択された楽曲を、決定された再生順番に表示したプレイリストを作成する。再生手段５７は、プレイリスト上の再生順番に基づき楽曲を再生する。
【００６２】
典型的なプレイリストでは、登録された各楽曲は、プレイリストにおいて、例えば楽曲名、楽曲名以外のメタデータ（アーティスト名やジャンル等）、携帯型楽曲再生機器情報（例：誰々の携帯型楽曲再生機器５１ａ，５１ｂ，５１ｃ・・・からの楽曲である）、及び／ＣＯＤＥＣ（COmpression／DECompression）情報に対応付けて表示される。また、典型的なプレイリストでは、楽曲は、再生順番の早い方から遅い方へ上から順番に並ぶ。
【００６３】
選択された楽曲の再生順番を、再生楽曲の保有元としての楽曲処理装置５０若しくは各携帯型楽曲再生機器５１ａ，５１ｂ，５１ｃ・・・が循環する順番形式例として次の（ａ）、及び楽曲処理装置若しくは各携帯型楽曲再生機器において選択条件に該当する楽曲の個数に基づく順番形式例として次の（ｂ），（ｃ）を挙げる。
【００６４】
（ａ）楽曲処理装置５０又は各携帯型楽曲再生機器５１ａ，５１ｂ，５１ｃ・・・からその選択楽曲を１曲ずつ順に再生し、残りの選択楽曲がなくなった楽曲処理装置５０又は携帯型楽曲再生機器５１ａ，５１ｂ，５１ｃ・・・は、スキップする再生順番方式で、全部の選択楽曲を再生する。すなわち、（携帯型楽曲再生機器５１ａからの選択楽曲が１個しかなかった場合）：楽曲処理装置５０の１曲目→携帯型楽曲再生機器５１ａの１曲目→携帯型楽曲再生機器５１ｂの１曲目→携帯型楽曲再生機器５１ｃの１曲目→楽曲処理装置５０の２曲目→携帯型楽曲再生機器５１ｂの２曲目→携帯型楽曲再生機器５１ｃの２曲目・・・
【００６５】
（ｂ）楽曲処理装置５０及び携帯型楽曲再生機器５１ａ，５１ｂ，５１ｃ・・・の内で選択楽曲の一番多かった機器の全選択曲→その次に多かった機器の全選択曲→・・・→一番少なかった機器の全選択曲
【００６６】
（ｃ）選択楽曲の一番少なかった機器の１曲→その次に少なかった機器の曲を比率に応じた数（前述の１００：５０：３０：２０の例では、５：２．５：１．５：１となり、１．５は四捨五入すると２であるので、２）→・・・→一番多かった機器の曲を比率に応じた数（前述の１００：５０：３０：２０の例では、５）→選択楽曲の一番少なかった機器の１曲→・・・
【００６７】
別の再生順番方式を採用する楽曲処理装置５０では、再生順番決定手段６０は、目的地までの誘導路上の所定地点に関連する楽曲が、該所定地点の通過予測時刻に再生されるように、楽曲の再生順番を決定する。再生手段５７は、選択された楽曲を、決定された再生順番に並べたプレイリストを作成する。再生手段５７は、プレイリスト上の再生順番に基づき楽曲を再生する。
【００６８】
誘導路上の所定地点を通過する時の楽曲再生の具体例を説明する。楽曲処理装置５０は、ヘッドユニット１１のように、カーナビゲーション装置に実装されることがある。ユーザが、カーナビゲーション装置搭載の自動車でドライブする際、出発時に、目的地を設定してルート検索すると、旅行時間及び通過地点と各通過地点を通過する予想時刻が判明する。これを基にプレイリスト上の再生順番を決定する。
【００６９】
例えば、東京駅から湘南海岸経由で伊豆方面へドライブに出掛けるとする。東京駅に集合して、カーナビゲーション装置により伊豆を目的地として及び湘南海岸を経由地としてルート探索を実施し、今回のドライブコースを設定する。カーナビゲーション装置は、誘導路と共に、誘導路上の各通過地点の予想通過時刻を計算する。該予想通過時刻に基づき湘南海岸を通過する頃に、海に関連した楽曲を再生するようなプレイリストをプレイリスト作成時に作成することができる。
【００７０】
楽曲処理装置５０は、さらに、現在地検出手段６３を有してもよい。現在地検出手段６３は、ＧＰＳ等を用いて現在地を検出する。再生手段５７は、プレイリストに登録されている楽曲であってかつ現在地に関連する楽曲を再生する。典型的なプレイリストでは、楽曲名が楽曲の再生順番に上から下へ並ぶが、現在地関連の楽曲を再生する場合には、プレイリスト上の再生順番が、適宜、変更されることになる。例えば、現在地が海の見える道路である場合には、海に関連の楽曲がプレイリストから選択されて再生される。現在地の検出タイミングは、典型的には、現在地に関連する楽曲の再生が開始する少し前、例えばその前の楽曲を再生していて、次の再生楽曲を決める時である。
【００７１】
楽曲処理装置５０は、また、楽曲処理装置５０及び携帯型楽曲再生機器５１ａ，５１ｂ，５１ｃ・・・の全部が保有する楽曲に基づき所定の選択条件を決めて、楽曲処理装置５０及び携帯型楽曲再生機器５１ａ，５１ｂ，５１ｃ・・・の１個が保有する楽曲の中から所定の選択条件に該当する所定の楽曲を選択してもよい。すなわち、選択条件に合致する楽曲は、楽曲処理装置又は１個の携帯型楽曲再生機器から行う。ただし、その場合においても、グループ全体の嗜好を反映するために、選択条件は、全体、すなわち楽曲処理装置５０及び携帯型楽曲再生機器５１ａ，５１ｂ，５１ｃ・・・の全部が保有する楽曲に基づき決める。
【００７２】
楽曲処理装置５０は、楽曲処理装置５０及び別々の携帯型楽曲再生機器５１ａ，５１ｂ，５１ｃ・・・から同一の楽曲が重複選択されてプレイリストに登録されている場合には、該同一の楽曲の内、再生順番が２番目以降のものについては、そのまま再生するか又は再生をスキップするかする。再生をスキップする場合には、ユーザは同一の楽曲を繰り返し聞かなくて済む。重複選択のために、スキップする楽曲を図６のＣｒ２とすると、Ｃｒ２をスキップする代わりに、例えば、Ｃｒ３を再生してもよい、すなわち、スキップされた楽曲を選択されている携帯型楽曲再生機器から、再生待ち順が、スキップされた楽曲の次である楽曲を、スキップされた楽曲の代わりに再生するのである。さらに、重複選択のために、スキップする楽曲を図６のＣｒ２とすると、Ｃｒ２をスキップする代わりに、例えば、Ｃｒｘを再生してもよい、Ｃｒｘとは、スキップされた楽曲Ｃｒ２を選択された携帯型楽曲再生機器ｃの保有楽曲であって、今回の選択条件には該当していたものの、登録数制限のために、図６のプレイリストへの登録から漏れた楽曲である。
【００７３】
或る楽曲処理装置５０では、プレイリスト作成手段５６は、楽曲処理装置５０及び別々の携帯型楽曲再生機器５１ａ，５１ｂ，５１ｃ・・・から同一の楽曲が重複選択された場合には、該重複選択された楽曲の内の１個のみが登録されるように、プレイリストを作成してもよい。プレイリストに重複して登録されていないということは、同一の楽曲が繰り返し再生されないことを意味する。ここで、再生順番決定手段６０は、重複選択された楽曲の内の１個のみがプレイリストに登録される楽曲は、重複選択のなかった他の楽曲より再生順番を前に又は後ろに決定してもよい。そして、プレイリスト作成手段５６は、選択された楽曲を、決定された再生順番に並べたプレイリストを作成する。再生手段５７は、プレイリスト上の再生順番に基づき楽曲を再生する。これにより、重複選択された楽曲の内の１個のみがプレイリストに登録される楽曲の再生が、最初又は最後に再生されることになる。
【００７４】
プレイリスト作成手段５６が、楽曲処理装置５０及び別々の携帯型楽曲再生機器５１ａ，５１ｂ，５１ｃ・・・から同一の楽曲が重複選択された場合には、該重複選択された楽曲の内の１個のみが登録されるように、プレイリストを作成したときについて、付言する。グループのメンバーがユーザＡ，Ｂ，Ｃの三人であって、携帯型楽曲再生機器５１ａ，５１ｂ，５１ｃはそれぞれユーザＡ，Ｂ，Ｃの所有とする。グループ用プレイリストに基づく楽曲再生の再生順では、例えば、携帯型楽曲再生機器５１ａからの選択楽曲→携帯型楽曲再生機器５１ｂからの選択楽曲→携帯型楽曲再生機器５１ｃからの選択楽曲→携帯型楽曲再生機器５１ａからの選択楽曲→・・・と、携帯型楽曲再生機器５１ａ，５１ｂ，５１ｃから選択楽曲を循環形式で１個ずつ再生する再生順を採用することがある。ユーザＡ，Ｂ，Ｃとは別個の仮のユーザＸを想定し、該ユーザＸが所有する仮の携帯型楽曲再生機器ｘを想定し、重複選択されたために重複選択楽曲の１個のみがプレイリストに登録されている楽曲は携帯型楽曲再生機器ｘからの選択楽曲とみなす。そして、グループ用プレイリストに基づく楽曲再生の再生順では、携帯型楽曲再生機器５１ｘからの選択楽曲→携帯型楽曲再生機器５１ａからの選択楽曲→携帯型楽曲再生機器５１ｂからの選択楽曲→携帯型楽曲再生機器５１ｃからの選択楽曲→携帯型楽曲再生機器５１ｘからの選択楽曲→・・・と、携帯型楽曲再生機器ｘ，５１ａ，５１ｂ，５１ｃから選択楽曲を循環形式で１個ずつ再生する再生順を採用してもよい。
【００７５】
楽曲選択手段５５は、所定の選択条件に該当する楽曲が楽曲処理装置５０及び携帯型楽曲再生機器５１ａ，５１ｂ，５１ｃ・・・に重複して保有されている場合には、該楽曲を選択から除外する。これにより、ユーザは自分の保有していない楽曲を聞くことができる。
【００７６】
楽曲処理装置５０は、自動車又は建物内に配備されるものである。すなわち、本発明は、車室内での実施に限定されず、家庭やレジャー施設の室内で実施されてもよい。
【００７７】
携帯型楽曲再生機器５１ａ，５１ｂ，５１ｃ・・・の１個が、楽曲処理装置５０であってもよい。この場合、携帯型楽曲再生機器５１ａ，５１ｂ，５１ｃ・・・の１個が、楽曲処理装置５０を兼ねる結果、専用の楽曲処理装置５０は不要となる。
【００７８】
別の楽曲処理装置５０は、携帯型情報機器（例：携帯電話）を接続されて、携帯型情報機器から嗜好情報を入手し、これに基づき選択条件を設定して、該当する楽曲を自身の保有楽曲の中から選択し、選択した楽曲に基づきプレイリストを作成し、該プレイリストに基づく楽曲再生を行うことができるようになっている。すなわち、別の楽曲処理装置５０は、自身が装備する記憶装置５３内の楽曲を再生して、再生音を放音器から出力可能になっている。楽曲選択手段５１は、楽曲の再生機能を有しない又は再生可能な楽曲を保有していない携帯型情報機器であって楽曲処理装置に切り離し自在に接続される携帯型情報機器より接続時に選択条件に係る情報を入手して該情報を反映した選択条件に該当する楽曲であって楽曲処理装置５０自身の保有する楽曲の中から選択する。プレイリスト作成手段５６は、選択された楽曲を再生対象楽曲として登録したプレイリストを作成する。再生手段５７は、プレイリストに登録されている楽曲を１個ずつ再生する。
【００７９】
図１３は楽曲処理装置７０の機能ブロック図である。該楽曲処理装置７０は、前述の楽曲処理装置５０（図１２）に、携帯型楽曲再生機器との通信不能時の対処機能を追加したものとなっている。楽曲処理装置７０も、楽曲処理装置５０と同様に、楽曲を自分のハードディスク装置等の記憶装置７３に保有して、それら保有楽曲を再生して、再生音を放音器７２から出力自在になっていてもよいし、楽曲を自分では保有することなく、携帯型楽曲再生機器７１ａ，７１ｂ，７１ｃ，・・・の保有楽曲のみの再生音を放音器７２から出力自在になっていてもよい。両者を区別するとき、前者の楽曲処理装置７０を「楽曲保有型楽曲処理装置７０」と呼び、後者の楽曲処理装置７０を「非保有型楽曲処理装置７０」と呼ぶことにする。楽曲保有型楽曲処理装置７０は、本発明を適用するために、１個以上の携帯型楽曲再生機器７１ａ，７１ｂ，７１ｃ，・・・を接続されればよいが、非保有型楽曲処理装置７０は、２個以上の携帯型楽曲再生機器７１ａ，７１ｂ，７１ｃ，・・・を接続される必要がある。楽曲保有型楽曲処理装置７０の場合、該楽曲保有型楽曲処理装置７０に保有している楽曲は、該楽曲保有型楽曲処理装置７０の所有者（自動車のドライバー又は楽曲処理装置７０を居間等に配備する家庭の住人）の保有する楽曲となる。
【００８０】
すなわち、楽曲保有型楽曲処理装置７０は、１個以上の携帯型楽曲再生機器７１ａ，７１ｂ，７１ｃ，・・・を接続され、各携帯型楽曲再生機器７１ａ，７１ｂ，７１ｃ，・・・からの楽曲信号を受信して該楽曲信号に係る再生音を放音器５２より出力可能になっているとともに、自身が装備する記憶装置７３内の楽曲を再生して、再生音を放音器５２から出力可能になっている。
【００８１】
また、非保有型楽曲処理装置７０は、２個以上の携帯型楽曲再生機器７１ａ，７１ｂ，７１ｃ，・・・を接続され、各携帯型楽曲再生機器７１ａ，７１ｂ，７１ｃ，・・・からの楽曲信号を受信して該楽曲信号に係る再生音を放音器５２より出力可能になっている。
【００８２】
楽曲処理装置７０は、楽曲選択手段７５、プレイリスト作成手段７６、再生手段７７、監視手段７８及び再生制御手段７９を有している。楽曲保有型楽曲処理装置７０の楽曲選択手段７５は、楽曲処理装置７０及び各携帯型楽曲再生機器７１ａ，７１ｂ，７１ｃ，・・・が保有する楽曲の中から所定の選択条件に該当する楽曲を選択する。非保有型楽曲処理装置７０の楽曲選択手段７５は、各携帯型楽曲再生機器７１ａ，７１ｂ，７１ｃ，・・・が保有する楽曲の中から所定の選択条件に該当する楽曲を選択する。
【００８３】
プレイリスト作成手段７６は、選択された楽曲を登録したプレイリストを作成する。再生手段７７は、プレイリストに登録されている楽曲を１個ずつ順番に再生する。監視手段７８は、各携帯型楽曲再生機器と通信不能状態になっていないかを監視する。再生制御手段７９は、通信不能の携帯型楽曲再生機器の保有する楽曲は該楽曲の再生をスキップするように、再生手段７７を制御する。
【００８４】
携帯型楽曲再生機器７１ａ，７１ｂ，７１ｃ，・・・が楽曲処理装置７０とＵＳＢケーブルやＬＡＮケーブル等を介して接続されている場合には、該ＵＳＢケーブルやＬＡＮケーブルを携帯型楽曲再生機器７１ａ，７１ｂ，７１ｃ，・・・から抜くことにより、楽曲処理装置７０は携帯型楽曲再生機器７１ａ，７１ｂ，７１ｃ，・・・と通信不能状態になる。携帯型楽曲再生機器７１ａ，７１ｂ，７１ｃ，・・・が楽曲処理装置７０と無線ＬＡＮやブルートゥース等を介して接続されている場合には、該携帯型楽曲再生機器７１ａ，７１ｂ，７１ｃ，・・・を所有するユーザが、楽曲処理装置７０の配備されている車内や室内から退出したりして、無線の到達領域外へ出ることにより、楽曲処理装置７０は携帯型楽曲再生機器７１ａ，７１ｂ，７１ｃ，・・・と通信不能状態になる。さらに、携帯型楽曲再生機器７１ａ，７１ｂ，７１ｃ，・・・の電池切れや、通信部品の故障等によっても、楽曲処理装置７０は携帯型楽曲再生機器７１ａ，７１ｂ，７１ｃ，・・・と通信不能状態になる。
【００８５】
こうして、グループの一部のユーザが離脱したり、一時的なケーブル接続不良が生じたり等の原因により、楽曲処理装置７０が一部の携帯型楽曲再生機器（以下、説明の便宜上、通信不能が起きた携帯型楽曲再生機器を「携帯型楽曲再生機器７１ｃ」と仮定する。。）と通信不能になっても、残ったユーザの携帯型楽曲再生機器７１ａ，７１ｂ，７１ｄ，・・・における選択楽曲に基づき、選択条件に合致した楽曲の再生を継続することができる。なお、プレイリストは、次の再利用のために、情報保存部１７にプレイリスト情報２２として保存可能である。
【００８６】
楽曲処理装置７０のさらなる具体的態様について説明する。
【００８７】
再生制御手段７９は、通信不能の携帯型楽曲再生機器７１ｃから選択した楽曲であって再生をスキップしようとする楽曲が、通信可能な携帯型楽曲再生機器の保有楽曲の中に同一楽曲としてあるときは、再生をスキップすることなく、該通信可能な携帯型楽曲再生機器から該同一楽曲の楽曲信号を受信して、該スキップしようとした楽曲を再生するように、再生手段７７を制御する。これにより、スキップして再生しない楽曲を最小限に抑制できる。
【００８８】
再生制御手段７９は、通信不能な携帯型楽曲再生機器との通信が復帰したならば、通信不能のために再生保留していた該携帯型楽曲再生機器の保有する楽曲を通信復帰後に再生するように、再生手段７７を制御する。通信不能には、グループ員の離脱のように、永久的なものと、ケーブルの外れのように、一時的なものがある。一時的な通信不能の場合には、通信復帰後に、通信不能に因り再生を保留していた楽曲を再生することにより、未再生楽曲を残して、プレイリストを終了することを極力防止できる。
【００８９】
再生制御手段７９は、通信復帰した携帯型楽曲再生機器７１ｃに係る楽曲であって再生保留していた全楽曲を、該携帯型楽曲再生機器７１ａ，７１ｂ，７１ｃ，・・・の通信復帰後は、該携帯型楽曲再生機器７１ａ，７１ｂ，７１ｃ，・・・の非再生保留で未再生の全楽曲より前に又は後に再生するように、再生手段７７を制御する。前述の図１０（ｂ）及び（ｃ）はこの例を示している。これにより、通信不能に因る再生保留した楽曲を通信復帰後、漏れなく再生可能となる。
【００９０】
再生制御手段７９は、これから再生しようとする楽曲ではなく、現在再生中の楽曲の楽曲信号の送信元の携帯型楽曲再生機器との通信が不能になった場合には、通信不能後、所定時間内に通信復帰したときには、該楽曲の再生を再開し、また、復帰しなかったときには、プレイリストにおいて再生順番が次の楽曲を再生するように、再生手段７７を制御する。プレイリストに登録された楽曲を再生開始する前に、該楽曲の楽曲信号の送信元の携帯型楽曲再生機器が通信不能になることがあるが、楽曲を再生中に該楽曲の楽曲信号の送信元の携帯型楽曲再生機器７１ａ，７１ｂ，７１ｃ，・・・が突然、通信不能に陥り、該楽曲の再生が困難になってしまうことが起こり得る。通信不能時間が短ければ、再生停止時間はユーザをいらいらさせずに済むので、通信復帰を待って、該楽曲の再生を再開する。しかし、通信不能時間が長く続くようであれば、該楽曲の再生再開を諦め、プレイリストの再生順において該楽曲の次の楽曲を再生するようにして、ユーザに不快感を与えることを防止できる。
【００９１】
楽曲処理装置７０はさらにプレイリスト更新手段８５を有している。プレイリスト更新手段８５は、プレイリストに登録されている楽曲であって通信復帰した携帯型楽曲再生機器７１ｃに係る楽曲について、通信復帰時に、該携帯型楽曲再生機器７１ｃの保有楽曲から消失していた場合には、プレイリストから該楽曲を削除するように、プレイリストを更新する。グループ用プレイリストに基づく楽曲再生中、一部のユーザは自分の携帯型楽曲再生機器を楽曲処理装置７０との接続から切り離して、所定の操作を行い、例えば所定の楽曲を削除することがあるかもしれない。該楽曲処理装置７０はこのような場面に対処できる。
【００９２】
プレイリスト更新手段８５は、携帯型楽曲再生機器７１ｃとの通信不能後、該携帯型楽曲再生機器７１ｃの通信復帰が困難と判断したときには、該携帯型楽曲再生機器７１ｃから選択した楽曲は、プレイリストから削除するように、プレイリストを更新する。携帯型楽曲再生機器７１ｃの通信復帰が困難と判断するときとして、例えば通信不能時間が所定時間以上継続したときがある。プレイリストからの該当楽曲の削除以降では、該当楽曲のスキップ処理は不要となり、プレイリストにおける再生順番に従い楽曲の再生を続けることができる。なお、プレイリストは、再利用のために、適宜、記憶装置７３に記憶することができる。
【００９３】
プレイリスト更新手段８５のプレイリスト更新処理を再生制御手段７９における再生スキップ制御に関連付けさせる楽曲処理装置７０では、通信不能となってから所定時間内は、通信復帰の可能性があるので、プレイリストからの該当楽曲の登録削除を保留し、すなわち、再生制御手段７９が、プレイリストに登録されている楽曲であって通信不能中の携帯型楽曲再生機器７１ｃに係る楽曲についての再生をスキップするように、再生手段７７に指示する。そして、通信不能時間が長引き、通信復帰の見込みがないと判断すると、プレイリスト更新手段８５は、通信不能中の携帯型楽曲再生機器７１ｃに係る楽曲をプレイリストから削除するように、プレイリストを更新する。
【００９４】
プレイリスト更新手段８５のプレイリスト更新処理を、再生制御手段７９における再生スキップ制御に関連付けさせることなく、すなわち、再生制御手段７９における再生スキップ制御とは独立に実施することもできる。
【００９５】
具体的には、プレイリスト更新手段８５のプレイリスト更新処理を再生制御手段７９における再生スキップ制御とは独立に実施する楽曲保有型楽曲処理装置７０では、１個以上の携帯型楽曲再生機器７１ａ，７１ｂ，７１ｃ，・・・を接続され、各携帯型楽曲再生機器７１ａ，７１ｂ，７１ｃ，・・・からの楽曲信号を受信して該楽曲信号に係る再生音を放音器より出力可能になっているとともに、自身が装備する記憶装置７３内の楽曲を再生して、再生音を放音器から出力可能になっている。そして、楽曲選択手段７５は、楽曲処理装置及び各携帯型楽曲再生機器７１ａ，７１ｂ，７１ｃ，・・・が保有する楽曲の中から所定の選択条件に該当する楽曲を選択する。プレイリスト作成手段７６は、選択された楽曲を再生対象楽曲として登録したプレイリストを作成する。再生手段７７は、プレイリストに登録されている楽曲を１個ずつ順番に再生する。監視手段７８は、各携帯型楽曲再生機器７１ａ，７１ｂ，７１ｃ，・・・と通信不能状態になっていないかを監視する。プレイリスト更新手段８５は、通信不能の携帯型楽曲再生機器７１ｃから楽曲信号を受信して再生する楽曲については該楽曲をプレイリストから削除するように、プレイリストを更新する。
【００９６】
また、プレイリスト更新手段８５のプレイリスト更新処理を再生制御手段７９における再生スキップ制御とは独立に実施する非保有型楽曲処理装置７０では、２個以上の携帯型楽曲再生機器７１ａ，７１ｂ，７１ｃ，・・・を接続され、各携帯型楽曲再生機器７１ａ，７１ｂ，７１ｃ，・・・からの楽曲信号を受信して該楽曲信号に係る再生音を放音器より出力可能になっている。楽曲選択手段７５は、各携帯型楽曲再生機器７１ａ，７１ｂ，７１ｃ，・・・が保有する楽曲の中から所定の選択条件に該当する楽曲を選択する。プレイリスト作成手段７６は、選択された楽曲を再生対象楽曲として登録したプレイリストを作成する。再生手段７７は、プレイリストに登録されている楽曲を１個ずつ順番に再生する。監視手段７８は、各携帯型楽曲再生機器７１ａ，７１ｂ，７１ｃ，・・・と通信不能状態になっていないかを監視する。プレイリスト更新手段８５は、通信不能の携帯型楽曲再生機器７１ｃから楽曲信号を受信して再生する楽曲については該楽曲をプレイリストから削除するように、プレイリストを更新する。
【００９７】
楽曲処理装置７０はさらに通知手段８８を有している。通知手段８８は、通信不能に係る情報をユーザに通知する。通信不能に係る情報とは、例えば、（ａ）通信不能が生じている旨、又は（ｂ）どの携帯型楽曲再生機器７１ｃと現在、通信不能となっているか等である。通知は、典型的には、楽曲の再生音を阻害しないように、表示部１５における視覚的な通知とされるが、スピーカ１８からの音声で通知されてもよい。
【００９８】
楽曲処理装置７０は、自動車に装備されるだけでなく、建物の室内に配備されてもよい。楽曲処理装置７０が自動車に装備される場合には、携帯型楽曲再生機器７１ａ，７１ｂ，７１ｃ，・・・は車内に持ち込まれて、楽曲処理装置７０との通信を確立するが、楽曲処理装置７０が建物の所定の室内に配備される場合には、携帯型楽曲再生機器７１ａ，７１ｂ，７１ｃ，・・・は室内又は屋内に持ち込まれて、楽曲処理装置７０との通信を確立することになる。
【００９９】
携帯型楽曲再生機器７１ａ，７１ｂ，７１ｃ，・・・の１個が、楽曲処理装置７０であってもよい。この場合、携帯型楽曲再生機器７１ａ，７１ｂ，７１ｃ，・・・の１個が、楽曲処理装置５０を兼ねる結果、専用の楽曲処理装置７０は不要となる。
【０１００】
図１４は楽曲処理方法１００のフローチャートである。前述の図９及び図１１のプレイリスト処理方法は楽曲処理方法１００の具体例である。楽曲処理方法１００は楽曲保有型楽曲処理装置７０及び非保有型楽曲処理装置７０に適用される。楽曲保有型楽曲処理装置７０に適用される楽曲処理方法１００では、Ｓ１０１において、楽曲処理装置及び各携帯型楽曲再生機器が保有する楽曲の中から所定の選択条件に該当する楽曲を選択する。非保有型楽曲処理装置７０に適用される楽曲処理方法１００では、Ｓ１０１において、各携帯型楽曲再生機器が保有する楽曲の中から所定の選択条件に該当する楽曲を選択する。
【０１０１】
Ｓ１０２では選択された楽曲を再生対象楽曲として登録したプレイリストを作成する。Ｓ１０５では、プレイリストに登録されている楽曲を１個ずつ順番に再生する。Ｓ１０３では、各携帯型楽曲再生機器と通信不能状態になっていないかを監視する。Ｓ１０４では、通信不能の携帯型楽曲再生機器７１ｃから楽曲信号を受信して再生する楽曲については再生をスキップするか、プレイリストから削除する。
【０１０２】
Ｓ１０５では、通信不能の携帯型楽曲再生機器７１ｃから選択した楽曲であって再生をスキップしようとする楽曲が、通信可能な携帯型楽曲再生機器の保有楽曲の中に同一楽曲としてあるときは、再生をスキップすることなく、該通信可能な携帯型楽曲再生機器における該同一楽曲を再生するようにしてもよい。
【０１０３】
Ｓ１０３では、通信不能となった携帯型楽曲再生機器７１ａ，７１ｂ，７１ｃ，・・・が通信復帰したか否かの監視も行う。通信復帰があった場合には、Ｓ１０５において、通信不能のために再生保留していた該携帯型楽曲再生機器の保有する楽曲を再生する。また、この再生保留楽曲の再生では、通信復帰した携帯型楽曲再生機器７１ｃに係る楽曲であって再生保留していた全楽曲は、該携帯型楽曲再生機器の通信復帰後は、該携帯型楽曲再生機器の非再生保留で未再生の全楽曲より前に又は後に再生するようにする。
【０１０４】
一方、楽曲の再生中に、該楽曲を保有する携帯型楽曲再生機器との通信が不能になることがある。Ｓ１０４では、通信不能となった携帯型楽曲再生機器７１ｃが、所定時間内に通信復帰したか否かを監視し、Ｓ１０５では、所定時間内に通信復帰したときには、該楽曲の再生を再開し、また、復帰しなかったときには、プレイリストにおいて再生順番が次の楽曲を再生する。
【０１０５】
プレイリストに登録されている楽曲であって通信復帰した携帯型楽曲再生機器７１ｃに係る楽曲について、通信復帰時に、該携帯型楽曲再生機器の保有楽曲から消失していたことが起きることがある（Ｓ１１５の判定が正）。このような場合には、Ｓ１１６により、プレイリストから該消失楽曲を削除する。
【０１０６】
Ｓ１０４では、所定の携帯型楽曲再生機器７１ｃが通信不能に陥ると、該通信不能の携帯型楽曲再生機器７１ｃに係る楽曲を再生スキップに代えて直ちにプレイリストから削除するようにしているが、第１段階では、再生スキップに留め、該所定の携帯型楽曲再生機器７１ｃの通信復帰が困難と判断したときには、該携帯型楽曲再生機器７１ｃが楽曲信号の送信元となる楽曲については、それをプレイリストから削除するようにしてもよい。
【０１０７】
Ｓ１０３では、監視の結果判明する通信不能に係る情報をユーザに通知してもよい。楽曲処理方法１００も、楽曲処理装置７０と同様に、車室内への適用と共に、建築物の室内での適用が可能である。
【０１０８】
本発明のプログラムは、コンピュータを楽曲処理装置７０の各手段として機能させる。本発明のプログラムは、また、コンピュータに楽曲処理方法１００の各ステップをコンピュータに実現させる。
【図面の簡単な説明】
【０１０９】
【図１】車載型楽曲再生システムの概略構成図である。
【図２】ハードディスク装置及び不揮発性メモリにおける楽曲ファイルのデータ構造を示す図である。
【図３】嗜好情報ファイルの構造図である。
【図４】携帯電話におけるメタファイルのデータ構造を示す図である。
【図５】各ポータブルオーディオプレーヤの不揮発性メモリにがっきょぐテータとして格納されている楽曲ファイルを、ジャンルを区別して示している図である。
【図６】各ポータブルオーディオプレーヤから選択した楽曲に基づき作成された楽曲ファイルにおける楽曲登録状況及び再生順を示す図である。
【図７】各ポータブルオーディオプレーヤの不揮発性メモリに各局データとして格納されている楽曲ファイルを、ジャンルを区別することなく示す図である。
【図８】所定の選択条件に合致する楽曲についてのプレイリストを示す図である。
【０１１０】
【図９】一部のポータブルオーディオプレーヤとの通信不能が生じた場合にプレイリスト上の該当楽曲の再生スキップにより対処するプレイリスト処理のフローチャートである。
【図１０】ポータブルオーディオプレーヤが通信不能となった場合の楽曲の再生順の説明図である。
【図１１】一部のポータブルオーディオプレーヤとの通信不能が生じた場合にプレイリスト上の該当楽曲の削除により対処するプレイリスト処理のフローチャートである。
【図１２】楽曲処理装置の機能ブロック図である。
【図１３】別の楽曲処理装置の機能ブロック図である。
【図１４】楽曲処理方法のフローチャートである。
【符号の説明】
【０１１１】
７０：楽曲処理装置、７１ａ，７１ｂ，７１ｃ：携帯型楽曲再生機器、７２：放音器、７３：記憶装置、７５：楽曲選択手段、７６：プレイリスト作成手段、７７：再生手段、７８：監視手段、７９：再生制御手段、８８：通知手段、１００：楽曲処理方法。
【図１】
2006286055.tif 000003
【図２】
2006286055.tif 000004
【図３】
2006286055.tif 000005
【図４】
2006286055.tif 000006
【図５】
2006286055.tif 000007
【図６】
2006286055.tif 000008
【図７】
2006286055.tif 000009
【図８】
2006286055.tif 000010
【図９】
2006286055.tif 000011
【図１０】
2006286055.tif 000012
【図１１】
2006286055.tif 000013
【図１２】
2006286055.tif 000014
【図１３】
2006286055.tif 000015
【図１４】
2006286055.tif 000016